(57)【要約】【課題】  着物が容易に美しく着こなせるように、補助具付きの帯板を提供し、且つ、その帯板を使った着付け方法を提供する。【解決手段】  本発明の補助具付き帯板は、帯の内側に着用される帯板本体と、帯板本体の長さ方向の両端部に、それぞれ取り付けられ、先端に相互に係合可能なフックを備え、帯板本体と共に着物の上に巻き付けられる伸縮自在な一対の巻付バンドと、帯板本体の上縁から上方に向けて取り付けられ、先端に帯もしくは着物の一部を挟持する挟持金具が設けられた長さ調節可能な連結バンドとを備える。【選択図】  図１
2007204905.tif 000002
【特許請求の範囲】
【請求項１】
帯の内側に着用される帯板本体と、帯板本体の長さ方向の両端部に、それぞれ取り付けられ、先端に相互に係合可能なフックを備え、帯板本体と共に着物の上に巻き付けられる伸縮自在な一対の巻付バンドと、帯板本体の上縁から上方に向けて取り付けられ、先端に帯もしくは着物の一部を挟持する挟持金具が設けられた長さ調節可能な連結バンドと、を備えていることを特徴とする補助具付き帯板。
【請求項２】
補助具付き帯板を利用して、着物の右衿先を左身八つ口に通して帯板の左側の挟持金具に止める段階と、右前身頃の脇腹部分を摘んで帯板の右側の挟持金具に止める段階と、帯板本体を腹部に当てると共に、帯板の巻付バンドを胴回りに巻いて背中で止める段階と、を含むことを特徴とする着付け方法。
【発明の詳細な説明】
【技術分野】
【０００１】
本発明は、補助具付き帯板および帯板を利用する着物の着付けに関する。
【背景技術】
【０００２】
帯板は、これを装着することにより帯がシワになり難くなるので、和服を着た後の帯結びの際に利用される。しかし、帯結びの作業は、初心者にとって補助者が必要となる煩わしいものである。このような事情から、補助者の手を煩わすことなく、着用者自身で帯結びができる簡易な構造の補助具が工夫されている。このような補助具として、特開平９−３７１６号公報には、帯の両端側となる垂れ部や手先部等を係止する係止支持台と、帯飾りを保持する上下可動台とを備えた帯結び補助具が開示されている。また、特開２００４―６８１７２号公報には、帯枕からの結束紐を通すための環（リング）を先端に備えた締め用紐が、帯板に設けられている着付け補助具が開示されている。この着付け補助具は、さらに帯板を中間で左右に分割し、且つ、分割部分に結合手段を設けて互いに連結して構成され、帯板の下部両端側に結束紐が設けられている。
【０００３】
特開２００２―２６６１４２号公報に記載の帯板は、帯板本体の長手方向の両端部に面ファスナを取付けて着脱自在とし、且つ、帯板本体の長手方向の両端上辺角部を斜めにカットして合わせ縁部とするものである。このように構成すると、両端の合わせ縁部線を一致させて着物の外周に巻き付けた際に、身体におけるウエストのくびれの上位位置の形状に合致した形状になることから、全体が身体にフィットするようになるので、帯板が弛みにくくなって安定し、着物の着崩れを防止でき、着用したときのシルエットを美しくすることができる旨、記載されている。
【特許文献１】特開平９−３７１６号公報
【特許文献２】特開２００４―６８１７２号公報
【特許文献３】特開２００２―２６６１４２号公報
【発明の開示】
【発明が解決しようとする課題】
【０００４】
本発明は、着物が容易に美しく着こなせるように、補助具付きの帯板を提供すること、及び、その帯板を使った着付け方法を提供することである。
【課題を解決するための手段】
【０００５】
本発明の補助具付き帯板は、帯の内側に着用される帯板本体と、帯板本体の長さ方向の両端部に、それぞれ取り付けられ、先端に相互に係合可能なフックを備え、帯板本体と共に着物の上に巻き付けられる伸縮自在な一対の巻付バンドと、帯板本体の上縁から上方に向けて取り付けられ、先端に帯もしくは着物の一部を挟持する挟持金具が設けられた長さ調節可能な連結バンドと、を備えていることを特徴とする。
【０００６】
本発明の着付け方法は、補助具付き帯板を利用して、着物の右衿先を左身八つ口に通して帯板の左側の挟持金具に止める段階と、右前身頃の脇腹部分を摘んで帯板の右側の挟持金具に止める段階と、帯板本体を腹部に当てると共に、帯板の巻付バンドを胴回りに巻いて背中で止める段階と、を含むことを特徴とする。
【発明の効果】
【０００７】
本発明の補助具付き帯板は、帯板本体に互いに係合可能なフックを備えた巻付バンドと、挟持金具を設けた連結バンドとを備えることにより、着物を着る段階や、着物を着た後の帯結びの段階で好適に利用することができる。そして、着物を着る段階で利用された場合には、着物の襟元が留められるようになるので、着物が容易に美しく着こなせるようになる優れた効果を奏する。また、帯結びの段階で利用された場合には、帯結びの要所で、帯を保持できるので、帯結びの煩わしさが改善され、帯結びが手軽にできるようになる。
【０００８】
本発明の着付け方法は、補助具付き帯板を利用して、着物の右衿先を帯板の左側の挟持金具に止め、右前身頃の脇腹部分を摘んで帯板の右側の挟持金具に止められ、胴回りに巻いて止められるので、着物の襟元が留められるようになり、着物が容易に美しく着こなせるようになる。
【発明を実施するための最良の形態】
【０００９】
図１は、本発明の補助具付き帯板１０の表面を示した説明図である。この図１に示すように、補助具付き帯板１０は、略長方形状の薄板からなる帯板本体１の長さ方向の両端部に、伸縮自在な一対の巻付バンド４が縫製され、巻付バンド４の先端には、相互に係合可能なフック５を備えている。そして、一対の連結バンド（３ａ、３ｂ）は、帯板本体１の左右側端部近傍の上縁から、上方に向けて縫製され、その先端には、帯を挟持する挟持金具、即ち、クリップ（２ａ、２ｂ）が設けられている。
【００１０】
クリップ（２ａ、２ｂ）は、平板を略Ｕ字形状に曲げたもので、閉じた状態では、ほぼ平坦なものである。そして、クリップの把持部は、クリップ本体に軸支され、その先端の振返りで、開口部を開閉させるものであるが、布を挟み込み過ぎると、閉じるために相当の力を要することになり、力を入れすぎた場合には、先端部が曲がり、使用できなくなることもあるので注意を要する。
【００１１】
以下、着物の着付けにおける補助具付き帯板１０の使用方法を説明する。１．着物の右衿先を左身八つ口に通して帯板１０のクリップ２ａに止める。２．右前身頃の脇腹部分を摘んで帯板１０のクリップ２ｂに止める。この状態で、右手で左の衿先を引き、左手で帯板の端部（連結バンド３ａ側）を引くと、右の衿先が引かれ衿元が整えられる。そして、３．帯板本体１を腹部に当てると共に、帯板１０の巻付バンド４を胴回りに巻いて背中で止める。そうすると、右の衿先は、連結バンド３ａ側で引かれた状態で、左衿を含め左前身頃の上から、帯板１０を腹部に当てて締めることができるので、衿元が留められる。尚、着物を左前で着る着付けを説明したが、右前の場合は左右逆になる。
【００１２】
次に、補助具付き帯板１０の第２の使用方法を説明する。この使用方法は、帯結びの際に使用するものであり、上述した着物の着付けと同時に使用されることはない。以下は帯結び（一重太鼓）の手順に従った帯板１０の使用方法である。１．帯板本体１がお腹の位置にくるように背中側でフック５を留める。２．手先になる方を半分の幅に折って和を下にする。３．手先を左の肩にかけクリップ２ａ（保持金具）で留める。４．たれを背中にまわし、体に一巻きする。５．手先とたれをクロスさせ、手先を前に持ってきてクリップ２ｂ（保持金具）で留める。６．たれでお太鼓をつくり、帯枕を入れる。７．帯の下に通した仮紐を前で結び、お太鼓の形を整える。８．手先を留めたクリップ（２ａ、２ｂ）を外し、手先をお太鼓に通す。９．お太鼓の上下の真中あたりを通るようにし、帯締めを前で結ぶ。１０．仮紐を外す。
【００１３】
クリップ（２ａ、２ｂ）の利用は、一重太鼓の帯結びに限定されることはなく、一文字、蝶々、文庫結びなど各種の帯結びに対応可能である。また、帯板本体１とクリップ（２ａ、２ｂ）との間に介される連結バンド（３ａ、３ｂ）の長さを適宜変更できるようにし、体型の差異に関係のない汎用性のあるものにする。以上、クリップ（２ａ、２ｂ）は、一対の連結バンド（３ａ、３ｂ）を介して帯板本体１の上縁に縫製されることにより、帯を一時的に保持できるので、帯結びの際に、補助者の手を煩わすことがなくなる。また、帯結びの仕上がりを良好なものとし、着物の着崩れが防止できる。
【図面の簡単な説明】
【００１４】
【図１】本発明の補助具付き帯板を示した説明図である。
【図２】補助具付き帯板の使用の形態を示した説明図である。
【符号の説明】
【００１５】
１  帯板本体
２ａ、２ｂ  クリップ
３ａ、３ｂ  連結バンド
４  巻付バンド
５  フック
１０  補助具付き帯板
Ａ  着物
【図１】
2007204905.tif 000003
【図２】
2007204905.tif 000004